(57)【特許請求の範囲】
【請求項１】
昇降手段の連結部を有する基部と、
電極の締め付け手段を有し、基部にばね手段を介し上下方向に変位可能に保持されて新旧両電極間の接続用のねじのねじピッチと異なるねじピッチで螺合する雄ねじ及び雌ねじを有するねじ機構により吊り下げられた電極固定部と、
電極固定部を回転駆動する駆動部とを備えたことを特徴とする炉用電極接続装置。
【請求項２】
ねじ機構に新旧両電極間の接続用のねじよりも大きいねじピッチが設定されている請求項１に記載の炉用電極接続装置。
【請求項３】
基部に、電極の締め付け手段を備える請求項１又は２に記載の炉用電極接続装置。
【請求項４】
基部に、電極固定部に固定された新電極に係脱可能な保持手段を備える請求項１乃至３のいずれかに記載の炉用電極接続装置。
【請求項５】
基部が、略円筒状に形成され、その周面部に電極固定部に固定された電極の垂直方向を案内する案内手段を備える請求項１乃至４のいずれかに記載の炉用電極接続装置。
【請求項６】
電極固定部が、略円筒状に形成されている請求項１乃至５のいずれかに記載の炉用電極接続装置。
【請求項７】
電極の締め付け手段に、ばね手段と、ばね手段の押圧付勢により常態として一方向に回動変位された一対の締め付けレバーと、これらの締め付けレバーに軸支され、電極に対して圧接可能な締め付け金具と、ばね手段の押圧付勢に抗して一対の締め付けレバーを逆方向に回動可能な解除手段とを備える請求項１乃至６のいずれかに記載の炉用電極接続装置。
【請求項８】
駆動部に、基部と電極固定部との間に配置され、駆動源に作動連結された駆動ギヤと、電極固定部の周囲に配置され、駆動ギヤに噛合された従動ギヤとを備える請求項１乃至７のいずれかに記載の炉用電極接続装置。
【請求項９】
電極の接続用のねじを嵌合可能な開口とその周囲に電極を支持可能なフランジを有する電極用の台を備え、この台に直立に支持した電極に上方から被せ付ける請求項１乃至８のいずれかに記載の炉用電極接続装置。
【請求項１０】
台に、電極に被せられた電極接続装置を位置決めするガイドと、基部に備えた電極の保持手段の係脱動作を許容する切欠部とを備える請求項９に記載の炉用電極接続装置。
【発明の詳細な説明】
【０００１】
【発明の属する技術分野】
本発明は、炉に使用する炉用電極接続装置に関する。
【０００２】
【従来の技術】
従来、黒鉛電極を用いる溶融炉において旧電極に新電極を追加接続する場合に、電極接続装置が用いられている。この種の電極接続装置は、電極を固定するクランプ機構と、電極を回転する回転機構とを備える。新電極を電極接続装置に固定し、これをクレーンにより溶融炉上の旧電極の上方まで移動し、そこで下降して、旧電極の上に載せる。ここで新電極の回転により新電極の接続用の雄ねじを旧電極の接続用の雌ねじに締め込んで、新旧両電極を一体的に接続する。
【０００３】
【発明が解決しようとする課題】
しかしながら、従来の電極接続装置では、電極接続装置に固定した新電極を、一旦旧電極上に載せてから、回転締め付けを行うため、新電極側の接続用の雄ねじの先端と旧電極側の接続用の雌ねじの先端に電極接続装置と新電極の全重量が乗ることにより、ねじの先端が破損する虞があり、破損が生じた場合にその破損粉がねじに入り込むことで両電極の不完全なねじ込み、不完全な密着が発生し、さらにこれに起因して導電性の悪化、電極折損などを引き起こすという問題があった。
本発明は、このような従来の問題を解決するものであり、この種の炉用電極接続装置において、新旧両電極の接続時にそのねじの破損を確実に防止し、両電極を完全なねじ込み、完全な密着により接続して、導電性を良好に維持するとともに、電極の折損を未然に防止することを目的とする。
【０００４】
【課題を解決するための手段】
上記目的を達成するために、本発明においては、昇降手段の連結部を有する基部と、電極の締め付け手段を有し、基部にばね手段を介し上下方向に変位可能に保持されて新旧両電極間の接続用のねじのねじピッチに対して大きいねじピッチで螺合する雄ねじ及び雌ねじを有するねじ機構により吊り下げられた電極固定部と、電極固定部を回転駆動する駆動部とを備え、新電極を電極固定部に固定して基部に吊り下げ、この状態から電極固定部の回転により電極固定部とともに新電極を新旧両電極間のねじピッチに対して大きいねじピッチで回転降下し、新電極の雄ねじを旧電極の雌ねじに締め込むようにしている。
このようにして、新旧両電極の接続時にそのねじ部の破損を確実に防止し、両電極を完全なねじ込み、完全な密着により接続して、導電性を良好に維持するとともに、電極の折損を未然に防止する。
【０００５】
【発明の実施の形態】
本発明の請求項１に記載の炉用電極接続装置は、昇降手段の連結部を有する基部と、電極の締め付け手段を有し、基部にばね手段を介し上下方向に変位可能に保持されて新旧両電極間の接続用のねじのねじピッチと異なるねじピッチで螺合する雄ねじ及び雌ねじを有するねじ機構により吊り下げられた電極固定部と、電極固定部を回転駆動する駆動部とを備えたものである。
本発明の請求項２に記載の炉用電極接続装置は、請求項１の構成において、ねじ機構に新旧両電極間の接続用のねじよりも大きいねじピッチが設定されているものである。
上記各構成から、新電極を電極固定部に固定することにより基部に吊り下げて、この状態から電極固定部を回転駆動し、電極固定部とともに新電極を基部と電極固定部との間のねじ機構により新旧両電極間のねじピッチに対して大きいねじピッチで回転降下して、新電極の雄ねじを旧電極の雌ねじに締め込む。これにより、新旧両電極の接続時にねじの破損を確実に防止されるとともに、新旧両電極間のねじが円滑に締め込まれる。
【０００６】
本発明の請求項３に記載の炉用電極接続装置は、請求項１又は２の構成において、基部に、電極の締め付け手段を備えるものである。
上記構成から、新旧両電極の接続に際して基部に旧電極を固定する。この状態から、電極固定部を回転駆動し、新電極の雄ねじを旧電極の雌ねじに締め込む。これにより、基部の回転を防止されて、新旧両電極間のねじが円滑に締め込まれる。
【０００７】
本発明の請求項４に記載の炉用電極接続装置は、請求項１乃至３のいずれかの構成において、基部に、電極固定部に固定された新電極に係脱可能な保持手段を備えるものである。
上記構成から、新電極を電極固定部の締め付け手段により固定され、これがさらに基部の保持手段に保持される。これにより、電極接続装置において新電極が二重の固定構造で保持され、新電極の移送中の落下が確実に防止される。
【０００８】
本発明の請求項５に記載の炉用電極接続装置は、請求項１乃至４のいずれかの構成において、基部が、略円筒状に形成され、その周面部に電極固定部に固定された電極の垂直方向を案内する案内手段を備えるものである。
本発明の請求項６に記載の炉用電極接続装置は、請求項１乃至５のいずれかの構成において、電極固定部が、略円筒状に形成されているものである。
上記各構成から、新電極と旧電極との接続に際し、電極固定部とともに新電極が回転降下され、これが基部の案内手段により垂直方向に案内される。これにより、新旧両電極間のねじが円滑、かつ確実に締め込まれる。
【０００９】
本発明の請求項７に記載の炉用電極接続装置は、請求項１乃至６のいずれかの構成において、電極の締め付け手段に、ばね手段と、ばね手段の押圧付勢により常態として一方向に回動変位された一対の締め付けレバーと、これらの締め付けレバーに軸支され、電極に対して圧接可能な締め付け金具と、ばね手段の押圧付勢に抗して一対の締め付けレバーを逆方向に回動可能な解除手段とを備えるものである。
上記構成から、電極が締め付け手段にばね力により締め付け固定される。これにより、新電極が電極固定部に吊り下げられている状態で停電が発生しても、電極の落下が確実に防止される。
【００１０】
本発明の請求項８に記載の炉用電極接続装置は、請求項１乃至７のいずれかの構成において、駆動部に、基部と電極固定部との間に配置され、駆動源に作動連結された駆動ギヤと、電極固定部の周囲に配置され、駆動ギヤに噛合された従動ギヤとを備えるものである。
上記構成から、駆動、従動各ギヤの回転により、電極固定部が回転駆動される。
【００１１】
本発明の請求項９に記載の炉用電極接続装置は、請求項１乃至８のいずれかの構成において、電極の接続用のねじを嵌合可能な開口とその周囲に電極を支持可能なフランジを有する電極用の台を備え、この台に直立に支持した電極に上方から被せ付けるものである。
本発明の請求項１０に記載の炉用電極接続装置は、請求項９の構成において、台に、電極に被せられた電極接続装置を位置決めするガイドと、基部に備えた電極の保持手段の係脱動作を許容する切欠部とを備えるものである。
上記各構成から、新電極は台に直立にして支持され、その上方から昇降手段により吊り上げられた電極接続装置が、ガイドにより位置決めされて被せられる。台に支持されている新電極は電極固定部にその締め付け手段により固定され、さらに基部の保持手段により保持される。
【００１２】
（実施例）
図１は本発明の一実施例の構成を示している。図１において、１は炉用電極接続装置であり、この電極接続装置の本体をなす基部２と、基部２にばね手段３、ねじ機構４を介して吊り下げられた電極固定部５と、電極固定部５を回転駆動する駆動部６とを備える。なお、図５乃至図８において、８は旧電極であり、８１はその接続用のテーパねじ（雌ねじ）である。９は新電極であり、９１はその接続用のテーパねじ（雄ねじ）である。
【００１３】
図１において、電極接続装置の基部２は、全体が略円筒状に形成され、上壁２０１と、周壁２０２とを備える。上壁２０１に、クレーンなどの昇降手段に連結可能な吊手２０が設けられている。また上壁２０１の中心に取付穴２００が形成され、その周囲に、図２に示すように、電極固定部５の吊り下げ位置調整部材２１０が設けられている。取付穴２００はねじ機構４が挿通可能な所定の外径が設定されて穿設されていて、吊り下げ位置調整部材２１０は、上壁２０１の上面に取付穴２００の周囲に配設され、外周にねじ２１１を切られた円筒状の突出部２１２と、この突出部２１２の外周に螺合されたロックナット２１３及び高さ調整ナット２１４とを備え、突出部２１２上でロックナット２１３及び高さ調整ナット２１４の固定位置を調整することにより、吊り下げ位置調整部材２１０全体の高さに所定の寸法が設定される。この取付穴２００と吊り下げ位置調整部材２１０（突出部２１２）との間にばね手段３としてコイルスプリングが配置され、この取付穴２００にばね手段３に保持されてねじ機構４が構成されている。ここでねじ機構４は、基部２側の雌ねじ４１を形成された上部にフランジ４２ｆを有するボス４２と、後述する電極固定部５側の雄ねじ４３を形成されたシャフト４４とを備え、ボス４２がばね手段３を通して取付穴２００に嵌挿され、これにシャフト４４が螺合されている。したがってねじ機構４は取付穴２００に上下方向に変位可能に通されている。また、電極固定部５に電極が固定されたときにその重量によりねじ機構４がばね手段３（コイルスプリング）を圧縮しながら下方変位され、ボス４２のフランジ４２ｆが基部２の吊り下げ位置調整部材２１０に支持されて、電極が所定の高さに吊り下げられる。したがって、吊り下げ位置調整部材２１０全体の高さを任意に変更することにより、電極固定部５に固定された電極の吊り下げ位置を任意に設定することができる。
【００１４】
一方、図１において、周壁２０２は、その上部が大径に形成され、その内径に電極固定部５の最大外径よりも少し大きい寸法を設定されて、電極固定部の収容部２１になっている。周壁２０２の中間部は小径に形成され、その内径に電極の外径よりも少し大きい寸法を設定されて、電極の垂直方向を案内する案内部２２になっている。この中間部にはまた、電極固定部５に固定する電極を係脱可能に保持する保持装置２３が取り付けられている。保持装置２３は、周壁２０２に傾動可能に取り付けられ、電極の接続端側に係止可能な爪部材２３１と、爪部材２３１に作動連結された駆動装置としてシリンダ２３２とを備える。この中間部にはさらに、検知爪２４と、検知スイッチ２５が配設され、これが図示されない制御装置に接続されている。検知爪２４が炉側の旧電極に接近し、旧電極に当接されることにより検知スイッチ２５がオン動作され、図示されないブザー又はランプが作動される。周壁２０２の下部は、中間部に略同径に連続され、その開口端がスカート状に形成されて、電極上に嵌合可能な連結口２６になっている。この連結口２６にはリング２７が形成されていて、このリング２７上に電極のクランプ装置２８が設置されている。このクランプ装置２８は、図３に示すように、シリンダ２８１と、シリンダ２８１の両側に軸２８２を介して回動可能に配置され、一端をシリンダ２８１の作動ロッド２８１Ｐに連結されてその作動により回動可能な一対の締め付けレバー２８３と、これらの締め付けレバー２８３に軸２８４を介して回動可能に配置され、電極の外周に対して圧接可能な一対の締め付け金具２８５とを備える。この連結口２６にはまた、図１に示しているように、１本又は２本の棒状のガイド部材２９が垂直方向に向けて取り付けられ、開口端から下方に垂下されている。なお、２本のガイド部材２９が取り付けられる場合、両者間に９０°の間隔が設定される。
【００１５】
図１において、電極固定部５は、全体が略円筒状に形成されて、上壁５０１と、周壁５０２とを備える。上壁５０１の中心に前述したねじ機構４の雄ねじ側を構成するシャフト４４が固定されている。電極固定部５は、基部２の電極固定部の収容部２１内に配置され、その上壁５０１のシャフト４４を基部上壁２０１のボス４２に螺合されて吊り下げられている。ここでねじ機構４のねじピッチは、新旧両電極の接続用のテーパねじのねじピッチと異なり、新旧両電極間のねじピッチよりも大きく設定されている。したがって電極固定部５は基部２の上壁２０１にばね手段３により保持されたねじ機構４を介して弾性的に支持されて、その正転方向の回転とともに下降され、その逆転方向の回転とともに上昇されるようになっている。周壁５０２の下部にはリング５０３が設けられていて、このリング５０３上に電極のクランプ装置５０が配設されている。このクランプ装置５０は、図４に示すように、外側方向に付勢されて配置されたスプリング５１と、スプリング５１の両側に軸５２を介して回動可能に配置され、一端をスプリング５１に連結されてその押圧付勢により常態として一方向に回動変位された一対の締め付けレバー５３と、これらの締め付けレバー５３に軸５４を介して回動可能に配置され、電極の外周に対して圧接可能な一対の締め付け金具５５と、一対の締め付けレバー５３の他端に連結され、スプリング５１の押圧付勢に抗して一対の締め付けレバー５３を逆方向に回動駆動するクランプ解除装置としてシリンダ５６とを備える。
【００１６】
駆動部６は、図１に示すように、基部２の上壁２０１上に配置された油圧発生装置その他の駆動装置６１と、基部２と電極固定部５との間に配置され、駆動装置６１に作動連結された駆動ギヤ６２と、電極固定部５の上壁５０１周囲に一体的に固定され、駆動ギヤ６２に噛合可能な従動ギヤ６３とを備える。
【００１７】
なお、図１において、１０はエアノズルであり、新旧両電極接続用の各テーパねじを掃除するために炉側に備えている。
【００１８】
電極接続装置１には、図５に例示する電極用の台７が備えられ、新旧両電極の接続作業に併用されている。この台７は、全体が略筒状に形成されていて、その上部に電極のテーパねじが嵌合可能な開口７０を備え、その開口７０周囲に電極を支持可能なフランジ７１を備える。この台７にはその周面に上部フランジ７１から所定の寸法だけ下がった位置にガイド７２が外周方向に突設されている。図６、図７に示すように、この台７に新電極９が直立に支持されて、その上方から電極接続装置１が被せられ、その電極固定部５に固定されるようになっている。このとき、電極接続装置１が、下部の連結口２６のスカート状の開口端が台７周面のガイド７２上に載せられるところまで、新電極９上に被せられ、台７のフランジ７１とガイド７２との間の所定の寸法から、図７に示すように、基部２の保持装置２３が新電極９の接続端に対して係合可能な高さに位置決めされ、さらに、図８に示すように、基部２の連結口２６内に旧電極８の接続端側を配置可能な中空間が確保される。また台７のフランジ７１には、基部２に備えた電極の保持装置２３の爪部材２３１の傾動を許容する切欠部７３が形成されていて、台７に新電極９を載せたまま新電極９に対する爪部材２３１の係脱動作が可能になっている。
【００１９】
次に、上記電極接続装置１による旧電極と新電極との接続動作について説明する。図６において、まず、クレーンなどの運搬機のフックを基部２の吊手２０に掛けて電極接続装置１が吊り上げられ、新電極９の上方まで移送される。新電極９は台７に直立に支持されていて、電極接続装置１が新電極９の上方から降下されて被せられる。なお、このとき電極接続装置１の電極固定部５に備えたクランプ装置５０は、その解除装置のシリンダ５６の駆動により、一対の締め付けレバー５３がスプリング５１の付勢方向に抗する方向に回動変位されていて、一対の締め付け金具５５が開いた状態になっている。また、基部２の保持装置２３が作動され、そのシリンダ２３２の駆動により爪部材２３１が外側方向に傾動されていて、新電極９に係合しない位置に傾倒されている。このようにして電極接続装置１が新電極９の上方から降下され、基部２の下部に垂下されたガイド部材２９の案内により、すなわちガイド部材２９と新電極９の周面との当接により電極接続装置１が振れ止めされ、新電極９の直上に位置決めされて、新電極９に基部２が電極固定部５を通して被せられる。図７に示すように、電極接続装置１の下部連結口２６が台７のガイド７２に載せられたところで、電極接続装置１の下降が停止され、前述したように、基部２の保持装置２３が新電極９の接続端に対して係合可能な高さに位置決めされ、さらに、基部２の連結口２６内に旧電極８の接続端側を配置可能な中空間が確保される。
【００２０】
次いで、図７において、電極固定部５のクランプ装置５０が作動される。図４に示すように、シリンダ５６の作動解除とスプリング５１の付勢力とにより一対の締め付けレバー５３が回動変位されて、一対の締め付け金具５５が締め込まれ、新電極９の外周に圧接される。ここで新電極９は強力な締め付け力のスプリング５１で締め付けられるから、この新電極９が吊り上げられた常態で停電などが起きても、新電極９の落下は確実に防止される。続いて、図７において、基部２側の保持装置２３が作動され、シリンダ２３２の駆動により爪部材２３１が内側に向けて傾動され、これが台７のフランジ７１に形成された切欠部７３を通って新電極９の接続端側に係止される。これらクランプ装置５０、保持装置２３により新電極９が電極接続装置１に二重に固定され、二重の安全が図られる。
【００２１】
次いで、クレーンにより電極接続装置１とともに新電極９が吊り上げられる。このとき、電極固定部５、これに固定された新電極９の重量により、図２に示すように、基部上壁２０１の取付穴２００上でねじ機構４が下がり、ばね手段３が圧縮され、ねじ機構４のボス４２上部のフランジ４２ｆが基部上壁２０１の吊り下げ位置調整部材２１０に支持される。これにより、新電極９が所定の吊り下げ位置（高さ）にして吊り下げられる。このようにして電極接続装置１が旧電極の上方へ移送され、旧電極の上方から降下される。図８において、旧電極８の近傍で、基部２の下部に垂下されたガイド部材２９と旧電極８の周面との当接により電極接続装置１が振れ止めされ、新電極９の直上に位置決めされて、旧電極８上に被せられる。基部２下部の連結口２６に旧電極８の接続端が挿入されていく。基部２中間部に備えた検知爪２４が旧電極８に近接して、旧電極９に当接されたところで、検知スイッチ２５がオン動作され、ブザーが鳴動される。又はランプが点灯される。これにより電極接続装置１の降下が自動又は手動で停止される。
【００２２】
ここで、エアノズル１０から圧縮空気が噴出されて、新旧両電極８、９のテーパねじ８１、９１が掃除される。続いて、基部２のクランプ装置２８が作動される。図３に示すように、シリンダ２８１の駆動により一対の締め付けレバー２８３が回動されて、一対の締め付け金具２８５が締め込まれ、旧電極８の外周に圧接される。続いて、図８において、基部２側の保持装置２３のシリンダ２３２が駆動され、その爪部材２３１が外側方向に傾動されて、新電極９に対する係合が外される。続いて、駆動部６の駆動装置６１により駆動ギヤ６２が回転駆動され、これに噛合された電極固定部５の従動ギヤ６３が電極固定部５の正転方向に送られる。これにより電極固定部５は新電極９とともに、その上部シャフト４４の雄ねじ４３と基部２の上部ボス４２の雌ねじ４１とのねじ送りにより、このねじ機構４に設定された大きいねじピッチで正転方向に回転されながら下降されていく。
【００２３】
この電極固定部５の回転下降により、新電極９のテーパねじ９１が旧電極８のテーパねじ８１に入っていき、ねじ機構４のねじピッチにより新電極９のテーパねじ９１が旧電極８のテーパねじ８１に効率的に螺合される。このとき新旧両電極８、９のテーパねじ８１、９１がその先端部分で当たっても、新電極９を固定している電極固定部５が基部２にばね手段３に保持されたねじ機構４により吊り下げられていて、ばね手段３のばね力（ここでＹｋｇとする。）により、新旧両電極８、９間の各テーパねじ８１、９１の先端部分に電極固定部５及び新電極９の全重量（ここでＸｋｇとする。）が乗ることがない。すなわち、新旧両電極８、９間の各テーパねじ８１、９１にかかる荷重（Ｘｋｇ−Ｙｋｇ）が緩和される。新電極９のテーパねじ９１と旧電極８のテーパねじ８１との噛み合いにより、その進行が電極接続装置１のねじ機構４の大きいねじピッチから新旧両電極８、９間の小さいねじピッチに変わり、新電極９のテーパねじ９１と旧電極８のテーパねじ８１との螺合が進んでいく。このとき、電極接続装置１のねじ機構４のねじピッチと新旧両電極８、９間のねじピッチとのピッチ差が電極接続装置１のねじ機構４の変位により吸収される。すなわち、基部上壁２０１の取付穴２００上のボス４２、シャフト４４の上方変位により吸収される。
【００２４】
新電極９のテーパねじ９１が旧電極８のテーパねじ８１に螺合していく途中で、基部２のクランプ装置２８の旧電極８に対する締め付けを短時間だけ解除される。これにより、新電極９が旧電極８に対して僅かに傾いて接続している場合、あるいは新電極９の重心が外れている場合に、その応力で自動的に芯出しがなされ、両電極８、９の各テーパねじ８１、９１が正常に噛み合わされる。
【００２５】
このようにして新電極９のテーパねじ９１が旧電極８のテーパねじ８１に円滑に締め込まれていき、新旧両電極８、９が接続される。なお、駆動部６には例えばインパクトモータが用いられていて、新旧両電極８、９は所定の最終締め付けトルクにより確実に接続される。新旧両電極８、９の接続が終わると、電極固定部の５のクランプ装置５０が作動され、シリンダ５６の駆動によりスプリング５１の押圧付勢に抗して一対の締め付けレバー５３が回動されて、新電極９に対する一対の締め付け金具５５の締め付けが解除される。さらに基部２のクランプ装置２８が作動され、シリンダ２８１の駆動により一対の締め付けレバー２８３が回動されて、旧電極８に対する一対の締め付け金具２８５の締め付けが解除される。ここで、クレーンにより電極接続装置１が吊り上げられ、新旧両電極８、９から離脱される。
【００２６】
このように上記実施例によれば、基部２と電極固定部５とをばね手段３に保持されたねじ機構４により連結し、電極固定部５に新電極９を吊り下げて、この状態で電極固定部５の回転により新電極９を回転降下することにより、新電極９の雄ねじ９１を旧電極８の雌ねじ８１に締め込んでいくので、その締め込みに際して新旧両電極８、９の雄ねじ８１と雌ねじ９１がその先端部分で噛み合っても、そこに電極固定部５と新電極９の重量負担が掛ることがなく、両電極８、９の各テーパねじ８１、９１の破損を確実に防止することができる。また、基部２と電極固定部５との間のねじ機構４により、新電極９を旧電極８に対して新旧両電極８、９間のねじピッチよりも大きいねじピッチで送り、新電極９のテーパねじ９１と旧電極８のテーパねじ８１との噛み合いにより、ねじ機構４のねじピッチから新旧両電極８、９間のねじピッチに移行し、そのピッチ差をねじ機構４の変位により吸収して、新電極９のテーパねじ９１を旧電極８のテーパねじ８１に螺合させていくので、新電極９のテーパねじ９１と旧電極８のテーパねじ８１とを円滑、かつ正常に噛み合せることができ、新旧両電極８、９を確実に接続することができる。
【００２７】
【発明の効果】
本発明は、上記実施例から明らかなように、昇降手段の連結部を有する基部と、電極の締め付け手段を有し、基部にばね手段により保持されて新旧両電極間の接続用のねじのねじピッチに対して大きいねじピッチで螺合する雄ねじ及び雌ねじを有するねじ機構を介して吊り下げられた電極固定部と、電極固定部を回転駆動する駆動部とを備え、新電極を電極固定部に固定して基部に吊り下げ、この状態で電極固定部の回転により電極固定部とともに新電極を新旧両電極間のねじピッチに対して大きいねじピッチで回転降下し、新電極の雄ねじを旧電極の雌ねじに締め込むようにしているので、新旧両電極の接続時にそのねじ部の破損を確実に防止することができ、両電極を完全なねじ込み、完全な密着により接続して、導電性を良好に維持するとともに、電極の折損を未然に防止することができる。
【図面の簡単な説明】
【図１】本発明の一実施例における炉用電極接続装置の断面図
【図２】同電極接続装置の基部の部分拡大断面図
【図３】同電極接続装置の基部に備えたクランプ装置の平面図
【図４】同電極接続装置の電極固定部に備えたクランプ装置の平面図
【図５】同電極接続装置に併用する電極用の台の断面図
【図６】同電極接続装置の動作例を示し、新電極に被せ付け前の断面図
【図７】同電極接続装置の動作例を示し、新電極に被せ付け後の断面図
【図８】同電極接続装置の動作例を示し、新電極と旧電極との接続中の断面図
【符号の説明】
１  炉用電極接続装置
２  基部
２００  取付穴
２０１  上壁
２０２  周壁
２１０  吊り下げ位置調整部材
２１１  ねじ
２１２  突出部
２１３  ロックナット
２１４  高さ調整部材
２０  吊手（連結部）
２１  電極固定部の収容部
２２  案内部（案内手段）
２３  保持装置（保持手段）
２３１  爪部材
２３２  シリンダ
２４  検知爪
２５  検知スイッチ
２６  連結口
２７  リング
２８  クランプ装置（締め付け手段）
２８１  シリンダ
２８１Ｐ  作動ロッド
２８２  軸
２８３  締め付けレバー
２８４  軸
２８５  締め付け金具
２９  ガイド部材
３  ばね手段
４  ねじ機構
４１  雌ねじ
４２  ボス
４２ｆ  フランジ
４３  雄ねじ
４４  シャフト
５  電極固定部
５０１  上壁
５０２  周壁
５０３  リング
５０  クランプ装置（締め付け手段）
５１  スプリング
５２  軸
５３  締め付けレバー
５４  軸
５５  締め付け金具
５６  シリンダ（解除手段）
６  駆動部
６１  駆動装置
６２  駆動ギヤ
６３  従動ギヤ
７  台
７０  開口
７１  フランジ
７２  ガイド
７３  切欠部
８  旧電極
８１  テーパねじ（雌ねじ）
９  新電極
９１  テーパねじ（雄ねじ）
１０  エアノズル
【図１】
0004071397.tif 000002
【図２】
0004071397.tif 000003
【図３】
0004071397.tif 000004
【図４】
0004071397.tif 000005
【図５】
0004071397.tif 000006
【図６】
0004071397.tif 000007
【図７】
0004071397.tif 000008
【図８】
0004071397.tif 000009